(57)【要約】【課題】トイレ室を必要以上に広くすることなく、かつ設置及び給水管との接続が容易な洋風便器を提供する。【解決手段】洋風便器１では、給水室２の右側壁部３に接続口１０が設けられており、便器１の横方向から給水管３０を接続することができるので、給水管３０の先端が接続されるロータンク４０をトイレ室５０の右側壁面５０ｂに密着させて、また便器１の後壁部４をトイレ室５０の後方壁面５０ａに密着させることでトイレ室５０内の空間を有効に利用することができる。このとき、ロータンク４０の操作部を便器１方向に向けることで、使用者の操作をよりし易いものとできる。【選択図】  図２
2005009215.tif 000002
【特許請求の範囲】
【請求項１】
洋風便器の後側上部に設けられた給水室の左右側壁部の少なくとも一方に、給水管が接続される接続口が設けられ、
当該接続口は、前記便器と便座もしくは蓋付便座との連結部に対し、側面視したときに重ならない位置に設けられていることを特徴とする洋風便器。
【請求項２】
前記便座の後端部が、前記便器の後端部のごく近傍に位置していることを特徴とする請求項１に記載の洋風便器。
【請求項３】
前記接続口内部には、前記給水管を通って便器に供給された洗浄水の向きを規制する整流部材が設けられていることを特徴とする請求項１または２に記載の洋風便器。
【発明の詳細な説明】
【０００１】
【発明の属する技術分野】
本発明は、洋風便器に関し、詳しくは、便器の給水室側壁部に給水管が接続された水洗式の洋風便器に関する。
【０００２】
【従来の技術】
一般的に、水洗式の洋風便器では、その後側上部に設けられた給水室の上壁部もしくは後壁部に給水管が接続されており、この給水管に接続されたロータンクまたはフラッシュ弁等の操作部を操作することにより、給水管から供給された洗浄水で便器（便鉢）が洗浄されるようになっている。しかし、便器後方に他の構造物等がある場合には、給水管の接続作業が困難となり、施工に時間がかかってしまうという問題があったため、これに対し、例えば、特許文献１では、便器の給水管が接続される給水受入口と給水管先端部との間に筒状のパッキンを介在させて、給水管を給水受入口に差し込んで固定する技術が開示されている。この技術によれば、給水受入口を介して給水管を便器に容易に接続できるため、施行時間の短縮等の効果が得られる。
【０００３】
【特許文献１】
特開平９−４１４６８号公報
【０００４】
【発明が解決しようとする課題】
しかしながら、上記のような従来技術では、給水室の上壁部に給水管を接続した場合は、給水室上方にロータンク等を配置するため、便器に対して便座を前側に位置させなければならず、便器が全体的に前後方向に伸びてしまうことになり、また、給水室の後壁部に給水管を接続した場合は、給水管を配設するための空間を便器とトイレ室後方壁面との間に確保しなければならず、即ち、何れの場合も便器の設置部分の他に構造部材の配設用の面積を確保しなければならないので、必要以上にトイレ室が大きくなってしまい空間を有効利用できないという問題があった。これにより、特に、家屋等で和風トイレ室に洋風便器を設置して洋風に改修したいときには、トイレ室自体を広げなければならないので、改修コストが非常に高くなるという問題があった。また、上記特許文献に係る技術は、給水管を洋風便器に容易に接続できるという効果を奏することができるものではあるが、トイレ室内の空間を有効利用するためのものではないため、上述したような問題を解決できるものではなかった。
【０００５】
本発明は、上記課題を解決するためになされたものであり、トイレ室を必要以上に広くすることなく、かつ給水管との接続及び設置が容易な洋風便器を提供することを目的とする。
【０００６】
【課題を解決するための手段】
上記目的を達成するために、請求項１に記載の洋風便器では、その後側上部に設けられた給水室の左右側壁部の少なくとも一方に、給水管が接続される接続口が設けられ、当該接続口は、前記便器と便座もしくは蓋付便座との連結部に対し、側面視したときに重ならない位置に設けられていることを特徴とする。
【０００７】
この構成の洋風便器では、給水室の左右側壁部の少なくとも一方に、給水管が接続される接続口が設けられているので、洋風便器を設置するトイレ室において、便器及び便座の後端部をトイレ室の壁面に密接させることができ、その壁面と便器との隙を必要以上に空ける必要がない。これにより、従来のトイレ室よりも小さい面積でトイレ室を構成することができ、また、所定の設置面積において、従来のトイレ室に比べてより多くのトイレ室を設置できるので、空間を有効に利用することができる。また、和風トイレ室を洋風トイレ室に改修する際も、トイレ室を元の広さのまま簡単に改修できるので、改修コストを大幅に削減することができる。さらに、給水室に対して給水管を左右何れか壁部に接続するかを、便器の設置場所や給水管の配設位置等により適宜選択することができるので、様々な形態のトイレ室に対応することができる。また、給水管の接続口が、便器と便座もしくは蓋付便座との連結部に対し、側面視したときに重ならない位置に設けられているので、給水管の接続作業時に便器と便座との連結部が邪魔になることがなく、作業を効率よく行うことができる。
【０００８】
また、請求項２に記載の洋風便器では、請求項１に記載の洋風便器の構成に加えて、前記便座の後端部が、前記便器の後端部のごく近傍に位置していることを特徴とする。
【０００９】
この構成の洋風便器では、請求項１に記載の発明の作用に加えて、便座の後端部を便器の後端部のごく近傍に位置させることにより、便器が前後方向に延びてしまうことがないので、便器自体をコンパクトにできると共に便器を設置するトイレ室もコンパクトにすることができる。
【００１０】
また、請求項３に記載の洋風便器では、請求項１または２に記載の洋風便器の構成に加えて、前記接続口内部には、前記給水管を通って供給された洗浄水の向きを規制する整流部材が設けられていることを特徴とする。
【００１１】
この構成の洋風便器では、請求項１または２に記載の発明の作用に加えて、接続口内部には、給水管を通って供給された洗浄水の向きを規制する整流部材が設けられている。これにより、便器と便座との連結部に対して側面視で重ならない位置、例えば従来よりも下方の低い位置に接続口を設けても、給水管からの洗浄水の水流の一部を上方に向けることができるので、便鉢の上側縁部に洗浄水を行き渡らせることができ、便鉢を均等に洗浄することができる。また、整流部材によって、便器の左右何れかの方向から供給される洗浄水の水流を便鉢に向かって真っ直ぐとなるように整えることができる。従って、便器後部において、後方もしくは上方から洗浄水が供給された場合と同じように洗浄水のバランスの良い水流を実現することができる。
【００１２】
【発明の実施の形態】
以下、本発明を具体化した洋風便器の一実施形態について図を参照して説明する。まず、図１及び２を参照して、洋風便器１が設置されたトイレ室５０内の構成について簡単に説明する。ここで、図１は、トイレ室５０内の構成を示す平面図、図２は同側面図であり、図１，２では、図中右側を前方、左側を後方としている。図１及び図２に示すように、トイレ室５０は、平面視略正方形の空間であり、トイレ室５０の後方壁面５０ａに隣接した状態で水洗式の洋風便器１（以下、単に「便器１」という。）が設置されており、トイレ室５０の前方壁面５０ｂに扉Ｄが開閉自在に設けられている。便器１の後側上部には、便器１に洗浄水を供給する給水管３０が接続される給水室２が形成されており、給水管３０は、この給水室２の右側（図中下側）壁部３に設けられた接続口１０（図４参照）を介して給水室２に接続されている。また、便器１には、蓋付の便座１３が開閉自在に設けられている。
【００１３】
給水管３０は、トイレ室５０の後方壁面５０ａと平行となるように水平方向に延び、その一端が接続口１０に接続された水平部３０ａと、該水平部３０ａの他端から鉛直方向上方に向かって延びた鉛直部３０ｂとからなり、略Ｌ字型形状を有している。そして、鉛直部３０ｂの上端部がロータンク４０の底面４０ｆに接続されている。ロータンク４０は、平面視略長方形の６面体形状を有し、隣接して垂直に交り合う後面４０ｂ及び右側面４０ｄの２面が、トイレ室５０の後方壁面５０ａ及び右側壁面５０ｂに密接している。また、ロータンク４０の前面４０ａには、鉛直方向に延びるロータンク用の給水管３５の一端が接続されている。また、図示しないが、ロータンク４０の便器１と対向する左側面４０ｃには操作部が設けられており、この操作部を操作することによって給水管３０から洗浄水が供給されて、便器１の便鉢８（図３参照）に洗浄水が流されることになる。さらに、ロータンク４０の上面４０ｅには、手洗部４５が設けられている。
【００１４】
次に、図３乃至図５を参照して、便器１の構造について説明する。ここで、図３は、便器１をその左右方向中央部にて切断した状態を示す断面図であり、図４及び図５は、接続口１０の部分拡大図である。図３に示すように、便器１は、その後側上部に側面視略正方形に形成された給水室２を備え、全体構造は従来の水洗式の洋風便器と共通している。また、後述するが、左右の側壁３及び４の一部が、給水管を接続するために設けられた接続口によって開口しており、給水管３０から供給された洗浄水が、給水室２を経てリム７及び便鉢８に流されることになる。尚、この便器１は、洗浄時に便器トラップ９の留水面１９が上昇し、その落差によって汚物を器外へ排出する洗落とし式のものであるが、便器１は、洗落とし式のものに限られず、サイホン式、サイホンジェット式等のものでもよい。
【００１５】
接続口１０は、図４及び図５に拡大して示すように、便器１に便座１３を取り付ける際にその取り付け用のボルト（図示外）が挿入されるボルト挿入孔３７と側面視で重ならない位置、具体的には、ボルト挿入孔３７に対してその下方で重ならない位置において、給水室２の右側壁部３を円形に貫通しており、その周縁には円環状のリブ１５が形成されている。給水室２の後壁部５は閉じられて、何も接続されていない状態となっているので、この後壁部５をトイレ室５０の後方壁面５０ａに密接させることができるようになっており、かつ、便座１３の後端部を便器１の後端部、詳しくは給水室２の後端部近傍まで近づけることができるようになっている。リブ１５は、便器１の左右方向（図中奥行き方向）と直交する平坦面１５ａを有し、その外周縁もまたボルト挿入孔３７と（側面視で）重ならないように形成されている。そして、図５に示すように、接続口１０には、給水管３０と給水室２とを接続するための略円筒形状のスパット２５が嵌着されることになる。
【００１６】
スパット２５は、リブ１５を表裏両側から挟み込んだ状態で接続口１０に嵌着されており、スパット２５の円筒部２５ａと給水管３０先端部とを連結した後、円筒部２５ａに形成されたねじ部２５ａ１に螺合したナット部２６を締め付けることにより、スパット２５と給水管３０とが強固に固着されるようになっている。尚、給水管が接続されない左側壁部４の接続口１１にもスパット２５が設けられているが、その開口部は蓋部材２９によって覆われた状態となっている。即ち、給水室２の左右側壁部３，４には、それぞれ側面視で重なる位置に、給水管３０を接続するための同一形状の給水口が一対となって設けられており、給水室２の右側及び左側の何れにも洗浄水供給用の給水管を接続できるようになっている。
【００１７】
また、スパット２５の給水管３０側端部近傍から接続口１０内部に向かって、給水管３０を通って便器１に供給される洗浄水の向きを規制する整流板１８（請求項における整流部材）が設けられている。詳しくは、整流板１８は、所定厚を有する略長方形板であり、スパット２５と給水管３０との連結部から、左側壁２方向に向かって便器１の左右方向中央部を越えて延びている。整流板１８は、その板厚方向が上下方向と平行になるように配設されており、給水室２内で、上記左右方向中央部付近において上方に向かって円弧状に曲折されている。これは、接続口１０を、便器１と便座１３との連結部に側面視でラップしないように従来よりも下方位置に設けたことで、給水管３０からの洗浄水の水流が上方に行き渡らなくなるのを防止するためであり、整流板１８によって洗浄水の水流の一部が上方に向かうことにより、便鉢８の上側縁部に形成されたリム７にも洗浄水が行き渡るようにしている。尚、洗浄水の水流を規制する整流部材として、本実施の形態では整流板１８を例に挙げたが、整流部材は板状のものに限られず、また便器１（給水室２）に一体に設けてもよい。
【００１８】
以上に詳述したように、洋風便器１では、給水室２の右側壁部３に給水管３０が接続されており、給水室２の上方及び後方に構造部材を設ける必要がないので、トイレ室内において、便器を設置する部分以外が必要以上に広くなってしまうことがない。例えば、これまで和風であったトイレ室を洋風に改修する際には、図１に示すように、元の和式便器６０（図中点線で示す）を取り除いた後、トイレ室を特に広くすることなくそのままの広さで洋風便器を設置することができる。このとき、従来の洋風便器であれば、後方に給水管が延びるため、トイレ室の後方壁面とある程度の隙を確保して便器を設置しなければならなかったが、本実施の形態の洋風便器１ではそのようなことはない。また、図からも明らかなように、和風便器が設置されていたときと同様に、扉Ｄを内開き型の状態でそのまま使用することができる。従って、改修のコストを従来よりも大幅に低減することができる。また、当然のことながらトイレ室の改修時に限られず、トイレ室を新しく建築する際も、空間を有効に使用することで従来よりも多くのトイレ室を設置することができる。
【００１９】
以上説明したように、本実施の形態の洋風便器１では、右側壁部３に接続口１０が設けられており、便器１の横方向から給水管３０を接続することができるので、給水管３０の先端が接続されるロータンク４０をトイレ室５０の右側壁面５０ｂに密着させて、また便器１の後壁部４をトイレ室５０の後方壁面５０ａに密着させることでトイレ室５０内の空間を有効に利用することができる。このとき、ロータンク４０の操作部を便器１方向に向けることで、使用者の操作をよりし易いものとできる。さらに、接続口１０を、便器１と便座１３との連結の邪魔にならないように両者の連結部に対して側面視で重ならない位置、本実施の形態では従来よりも低い位置に設けたのに対し、接続口１０内に整流板１８を設け、給水管３０からの洗浄水の水流の一部を上方に向けるようにしたので、便鉢の上側縁部にも効率よく洗浄水が送られ、洗浄に支障を来すことがない。
【００２０】
尚、本発明は前記実施の形態に限定されるものではなく、各種の変形が可能である。例えば、本実施の形態では、平面視略正方形のトイレ室に対し、その右側壁面にロータンクが密接するように配置したが、ロータンクを反対側の左側壁面に密接するように配置し、それに合わせて給水管を給水室の左側壁の接続口に接続してもよい。また、接続口の配設位置も、本実施の形態で示した位置に限られない。さらに、洋風便器が他の形式のものでもよいことは上述した通りであるが、ロータンクをフラッシュ弁として洗浄水を供給するようにしてもよい。この場合も、便器の例えば右側にフラッシュ弁を隣接するように配置すれば、便器の後方の空間を無駄に使うことがないので、トイレ室を全体的にコンパクトにでき、かつ使用者がより簡易に操作を行うことができる。加えて、便座と便器との連結位置を調整して、便座の後端部と便器の後端部とがほぼ同じ位置になるようにすることにより、便器の前後方向寸法を短くでき、トイレ室をコンパクトにすることができる。
【００２１】
【発明の効果】
以上説明したように、本発明に係る洋風便器では、給水室の左右側壁部の少なくとも一方に、給水管が接続される接続口が設けられているので、洋風便器を設置するトイレ室において、便器の後端部をトイレ室壁面に密接させることができ、その壁面と便器との隙を必要以上に空ける必要がない。これにより、従来のトイレ室よりも小さい面積でトイレ室を構成することができ、また、所定の設置面積において、従来のトイレ室に比べてより多くのトイレ室を設置できるので、空間を有効に利用することができる。また、和風トイレ室を洋風トイレ室に改修する際も、トイレ室を元の広さのまま簡単に改修できるので、改修コストを大幅に低減することができる。さらに、給水室に対して給水管を左右何れか壁部に接続するかを、便器の設置場所や給水管の配設位置等により適宜選択することができるので、様々な形態のトイレ室に対応することができる。また、給水管の接続口が、便器と便座もしくは蓋付便座との連結部に対し、側面視したときに重ならない位置に設けられているので、給水管の接続作業時に便器と便座との連結部が邪魔になることがなく、作業を効率よく行うことができる。
【００２２】
また、便座の後端部を便器の後端部のごく近傍に位置させることにより、便器が前後方向に延びてしまうことがなく、便器自体をコンパクトにできると共に便器を設置するトイレ室もコンパクトにすることができる。さらに、接続口内部には、給水管を通って供給された洗浄水の向きを規制する整流部材が設けられているので、便器と便座との連結部に対して側面視で重ならない位置、例えば従来よりも下方の低い位置に接続口を設けても、給水管からの洗浄水の水流の一部を上方に向けて便鉢の上側縁部に洗浄水を行き渡らせることができ、便鉢全体を均等に洗浄することができる。また、整流部材によって、便器の左右何れかの方向から供給される洗浄水の水流を便鉢に向かって真っ直ぐとなるように整えることができる。従って、便器後部において、後方もしくは上方から洗浄水が供給された場合と同じように洗浄水のバランスの良い水流を実現することができる。
【図面の簡単な説明】
【図１】図１は、トイレ室５０の構造を示す平面図である。
【図２】図２は、トイレ室５０の構造を示す側面図である。
【図３】図３は、洋風便器をその左右方向中央部で切断した断面図である。
【図４】図４は、接続口１０を便器１の右側から見た部分拡大図である。
【図５】図５は、接続口１０を便器１の後側から見た部分拡大図である。
【符号の説明】
１  洋風便器
２  給水室
３  右側壁部
５  後壁部
８  便鉢
１０  接続口
１３  便座
１８  整流板（整流部材）
３０  給水管
３７  ボルト挿入孔（連結部）
５０  トイレ室
５０ａ  後方壁面
【図１】
2005009215.tif 000003
【図２】
2005009215.tif 000004
【図３】
2005009215.tif 000005
【図４】
2005009215.tif 000006
【図５】
2005009215.tif 000007